(57)【特許請求の範囲】
【請求項１】
樹脂フィルム製の前後シート部が重なり合い、この前後シート部間にその底辺に沿うように樹脂フィルム製のガセットシート部が二つ折り状態で挿入され、この前後シート部の少なくとも上記底辺及びこの底辺を挟む左右両側辺における前シート部とガセットシート部との間、後シート部とガセットシート部との間及び前シート部と後シート部との間が夫々ヒートシール部で接着された流動物用包装袋において、上記前後シート部の天辺側に開閉自在ジッパーが取り付けられ、上記前後シート部の左右両側辺のいずれか一方の底辺側に注出口部が固着され、他方の天辺側にこの流動物用包装袋を吊り下げるための吊下げ部が設けられたことを特徴とする流動物用包装袋。
【請求項２】
請求項１に記載の流動物用包装袋において、上記ガセットシート部の左右に切欠部が形成され、この切欠部を通して前シート部と後シート部との対向する部分がヒートシールされたことを特徴とする流動物用包装袋。
【請求項３】
請求項１又は請求項２に記載の流動物用包装袋において、上記前シート部とガセットシート部との間及び後シート部とガセットシート部との間の一方又は双方のヒートシール部に上記底辺と上記注出口部との間を結ぶ漏斗用シール縁が設けられたことを特徴とする流動物用包装袋。
【請求項４】
請求項１乃至請求項３のいずれかに記載の流動物用包装袋において、上記左右両側辺のいずれか一方における前シート部とガセットシート部との間又は後シート部とガセットシート部との間に上記注出口部がヒートシールされたことを特徴とする流動物用包装袋。
【請求項５】
請求項４に記載の流動物用包装袋において、上記左右両側辺のいずれか一方における前シート部とガセットシート部との間又は後シート部とガセットシート部との間に上記注出口部がヒートシールされ、後シート部とガセットシート部との間又は前シート部とガセットシート部との間のヒートシール部に漏斗用シール縁が設けられたことを特徴とする流動物用包装袋。
【請求項６】
請求項１乃至請求項５のいずれかに記載の流動物用包装袋において、この流動物用包装袋を吊下げ部で吊り下げた際に、袋内の流動物の液面が上記開閉自在ジッパーに到達するのを阻止する液止めシール縁が、上記前後シート部の左右両側辺のいずれか一方におけるヒートシール部に設けられたことを特徴とする流動物用包装袋。
【請求項７】
請求項１乃至請求項６のいずれかに記載の流動物用包装袋において、上記前後シート部間の開閉自在ジッパーよりも上側の天辺がヒートシール部により閉じられていることを特徴とする流動物用包装袋。
【発明の詳細な説明】
【技術分野】
【０００１】
本発明は、流動食、薬剤、飲料等の流動物を収納するための包装袋に関する。
【背景技術】
【０００２】
従来、流動食は包装袋に収納され、密封された状態で運搬され、保管される。この包装袋には、流動食を取り出して患者等に与える際に包装袋自体をフックで吊り下げるための孔が設けられ、また、患者等に流動食を送るチューブが連結される注出口部が設けられる（例えば、特許文献１，２，３，４参照。）。
【０００３】
また、流動食を患者等に与えるに際して袋内に希釈液を入れて流動食を希釈したり、流動食の流出後に水等の飲料を袋内に注入したりするが、その後再度袋を閉じる必要がある。この袋の開閉作業を行うことができるようにするために、包装袋には着脱自在なキャップで覆った注入口が取り付けられ、或いは、開閉自在ジッパーが取り付けられる（例えば、特許文献２，３，４参照。）。
【０００４】
また、流動食の容量を増やすために、袋にガセット部が形成される場合がある（例えば、特許文献４参照。）。
【０００５】
【特許文献１】特開平６−２１８０２７号公報
【特許文献２】特開平１１−２８５５１８号公報
【特許文献３】特開２００１−２９９８７５号公報
【特許文献４】特開２００３−３２７２６３号公報
【発明の開示】
【発明が解決しようとする課題】
【０００６】
フック等で吊り下げなければ開口を上にして静置することができない包装袋（例えば、特許文献１，２，３参照。）は、袋内に希釈液等を入れる際に手で包装袋を支えるとか、フック等で吊下げておく必要があるので、患者に流動食を与える際の作業が非常に面倒になる。ことに患者数が多い場合は一度に多数の包装袋内に希釈液等を充填しなければならないが、その作業に多大の手間と時間が必要となる。
【０００７】
また、キャップ式の開口を有する包装袋（例えば、特許文献４参照。）は、開口面積が小さいのでたとえ包装袋を自立させた状態でも希釈液等を袋に入れる作業が非常に面倒になる。この場合も多数の包装袋内に希釈液等を充填しなければならないときは、その作業に多大の手間と時間が必要となる。
【０００８】
従って、本発明は上記問題点を解決することができる流動物用包装袋を提供することを目的とする。
【課題を解決するための手段】
【０００９】
上記課題を解決するため、本発明は次のような構成を採用する。
【００１０】
すなわち、請求項１に係る発明は、樹脂フィルム製の前後シート部（１，２）が重なり合い、この前後シート部（１，２）間にその底辺（ａ）に沿うように樹脂フィルム製のガセットシート部（３）が二つ折り状態で挿入され、この前後シート部（１，２）の少なくとも上記底辺（ａ）及びこの底辺（ａ）を挟む左右両側辺（ｂ，ｃ）における前シート部（１）とガセットシート部（３）との間、後シート部（２）とガセットシート部（３）と
の間及び前シート部（１）と後シート部（２）との間が夫々ヒートシール部（４，５，６，７，８，９，１０）で接着された流動物用包装袋において、上記前後シート部（１，２）の天辺（ｄ）側に開閉自在ジッパー（１２）が取り付けられ、上記前後シート部（１，２）の左右両側辺（ｂ，ｃ）のいずれか一方の底辺（ａ）側に注出口部（１５）が固着され、他方の天辺（ｄ）側にこの流動物用包装袋を吊り下げるための吊下げ部（１６）が設けられたことを特徴とする。
【００１１】
また、請求項２に係る発明は、請求項１に記載の流動物用包装袋において、上記ガセットシート部（３）の左右に切欠部（１１）が形成され、この切欠部（１１）を通して前シート部（１）と後シート部（２）との対向する部分がヒートシールされたことを特徴とする。
【００１２】
また、請求項３に係る発明は、請求項１又は請求項２に記載の流動物用包装袋において、上記前シート部（１）とガセットシート部（３）との間及び後シート部（２）とガセットシート部（３）との間の一方又は双方のヒートシール部（５，６，７，８）に上記底辺（ａ）と上記注出口部（１５）との間を結ぶ漏斗用シール縁（１８）が設けられたことを特徴とする。
【００１３】
また、請求項４に係る発明は、請求項１乃至請求項３のいずれかに記載の流動物用包装袋において、上記左右両側辺（ｂ，ｃ）のいずれか一方における前シート部（１）とガセットシート部（３）との間又は後シート部（２）とガセットシート部（３）との間に上記注出口部（１５）がヒートシールされたことを特徴とする。
【００１４】
また、請求項５に係る発明は、請求項４に記載の流動物用包装袋において、上記左右両側辺（ｂ，ｃ）のいずれか一方における前シート部（１）とガセットシート部（３）との間又は後シート部（２）とガセットシート部（３）との間に上記注出口部（１５）がヒートシールされ、後シート部（２）とガセットシート部（３）との間又は前シート部（１）とガセットシート部（３）との間のヒートシール部（５，６）に漏斗用シール縁（２１）が設けられたことを特徴とする。
【００１５】
また、請求項６に係る発明は、請求項１乃至請求項５のいずれかに記載の流動物用包装袋において、この流動物用包装袋を吊下げ部（１６）で吊り下げた際に、袋内の流動物（Ａ）の液面が上記開閉自在ジッパー（１２）に到達するのを阻止する液止めシール縁（１９）が、上記前後シート部（１，２）の左右両側辺（ｂ，ｃ）のいずれか一方におけるヒートシール部（９，１０）に設けられたことを特徴とする。
【００１６】
また、請求項７に係る発明は、請求項１乃至請求項６のいずれかに記載の流動物用包装袋において、上記前後シート部（１，２）間の開閉自在ジッパー（１２）よりも上側の天辺（ｄ）がヒートシール部（１３）により閉じられていることを特徴とする。
【発明の効果】
【００１７】
本発明によれば、樹脂フィルム製の前後シート部（１，２）が重なり合い、この前後シート部（１，２）間にその底辺（ａ）に沿うように樹脂フィルム製のガセットシート部（３）が二つ折り状態で挿入され、この前後シート部（１，２）の少なくとも上記底辺（ａ）及びこの底辺（ａ）を挟む左右両側辺（ｂ，ｃ）における前シート部（１）とガセットシート部（３）との間、後シート部（２）とガセットシート部（３）との間及び前シート部（１）と後シート部（２）との間が夫々ヒートシール部（４，５，６，７，８，９，１０）で接着された流動物用包装袋において、上記前後シート部（１，２）の天辺（ｄ）側に開閉自在ジッパー（１２）が取り付けられ、上記前後シート部（１，２）の左右両側辺（ｂ，ｃ）のいずれか一方の底辺（ａ）側に注出口部（１５）が固着され、他方の天辺（
ｄ）側にこの流動物用包装袋を吊り下げるための吊下げ部（１６）が設けられたことから、ガセットシート部（３）の箇所を広げて包装袋を起立させることができ、作業者は開封した包装袋を手で支えることなく机上等の載置面に置いたままで各種作業を行うことができる。また、開閉自在ジッパー（１２）を開放することにより包装袋には大きな開口部が形成されるので、希釈液等を簡易かつ迅速に包装袋内に注入することができる。従って、多数の包装袋に希釈液等を注入し患者等に供給する作業が軽減される。
【発明を実施するための最良の形態】
【００１８】
以下、図面を参照して本発明を実施するための最良の形態について説明する。
【００１９】
＜実施の形態１＞
図１、図２及び図３に示すように、この流動物用包装袋は、樹脂フィルム製の前後シート部１，２が重なり合い、前後シート部１，２間にそれらの底辺ａに沿うように樹脂フィルム製のガセットシート部３が二つ折り状態で挿入され、この前後シート部１，２の少なくとも底辺ａ及びこの底辺ａを挟む左右両側辺ｂ，ｃにおける前シート部１とガセットシート部３との間、後シート部２とガセットシート部３との間及び前シート部１と後シート部２との間が夫々ヒートシール部４，５，６，７，８，９，１０で接着される。
【００２０】
樹脂フィルムは、例えば積層フィルムであり、図示しないが外側に非ヒートシール材層が配置され、内側にヒートシール材層が配置され、中間にガスバリア材層が配置される。樹脂フィルムは望ましくは透明に形成される。
【００２１】
前後シート部１，２は上記樹脂フィルムを打ち抜いたり断裁したりすることにより例えば同形同大の略長方形に形成される。前後シート部１，２はヒートシール材層を内側にして重ね合わされる。ガセットシート部３は上記樹脂フィルムを打ち抜いたり断裁したりすることにより略長方形に形成される。ガセットシート部３は非ヒートシール材層を内側にして二つ折りされ、折れ線３ａを先にして前後シート部１，２間にそれらの一辺に沿うように挿入される。このガセットシート部３の挿入により、前シート部１とガセットシート部３とが重なった箇所が前ガセット部とされ、後シート部２とガセットシート部３とが重なった箇所が後ガセット部とされる。
【００２２】
ヒートシール部４，５，６，７，８，９，１０は、ガセットシート部３を挟み込んだ状態の前後シート部１，２を図示しない加熱盤で熱プレスすることにより形成される。
【００２３】
ヒートシール部９，１０は、流動物用包装袋の左右両側辺ｂ，ｃの前後ガセット部以外の箇所に形成される。このヒートシール部９，１０によって、流動物用包装袋の左右が閉じられる。
【００２４】
ヒートシール部４，５，６，７，８は、流動物用包装袋の底辺ａと、流動物用包装袋の左右両側辺ｂ，ｃの前後ガセット部に対応する箇所とに形成される。また、前後ガセット部の左右のヒートシール部５，６，７，８に対応してガセットシート部３の左右には切欠部１１が形成され、この切欠部１１を通して前シート部１と後シート部２との対向する部分がヒートシールされる。これにより、流動物用包装袋の底にはガセットシート部３でマチが形成され、このマチを拡開し底にすることで流動物用包装袋を自立させることができる。
【００２５】
なお、この実施の形態１ではガセットシート部３は前後シート部１，２と底辺ａの折れ線を介して一体化されているが、それぞれ別体として形成した後に前後シート部１，２間にガセットシート部３を折り曲げて挿入するようにしてもよい。
【００２６】
前後シート部１，２間には、その天辺ｄに沿うように開閉自在ジッパー１２が取り付けられる。開閉自在ジッパー１２は二条のテープ片間に係脱自在な雌雄の凹凸条を挟んでなるもので、二条のテープ片が前後シート部１，２の内面にそれぞれヒートシールにより貼着される。開閉自在ジッパー１２自体は公知であるからその詳細な説明は省略する。開閉自在ジッパー１２の係合を解除すると、図５（Ｃ）に示すように、前後シート部１，２の天辺には、この流動物用包装袋の略全幅にわたる大きな開口が形成される。
【００２７】
図１に示すように、前後シート部１，２間の開閉自在ジッパー１２よりも上側の天辺ｄは、望ましくはヒートシール部１３により閉じられる。このヒートシール部１３は、開閉自在ジッパー１２を開放することにより形成される開口から内容物である流動物Ａが包装袋内に充填された後に形成され、これにより包装袋が密封される。
【００２８】
この流動物用包装袋には、易開封手段が設けられる。すなわち、前後シート部１，２はガセットシート部３と共にその延伸方向が天辺ｄに沿って伸びるように形成される。また、上記開閉自在ジッパー１２と天辺ｄのヒートシール部１３との間には切欠１４が形成される。前後シート部１，２の天辺ｄの左右端いずれかを摘んで他端へと引っ張ると、ヒートシール部１３が前後シート部１，２の延伸方向に沿って前後シート部１，２から破断し、流動物用包装袋が開封される。ヒートシール部１３が前後シート部１，２から除去されることにより、流動物用包装袋の天辺ｄに開口が形成される。
【００２９】
前後シート部１，２の左右両側辺ｂ，ｃのうち左側辺ｂにおける底辺ａ側には、注出口部１５がヒートシールにより固着され、右側辺ｃの天辺ｄ側には、この流動物用包装袋を吊り下げるための吊下げ部１６が設けられる。
【００３０】
注出口部１５は、横断面が略楕円形の基筒１５ａと、基筒１５ａに連通する細筒１５ｂとを有する。この注出口部１５の基筒１５ａが上記前後シート部１，２の左側辺ｂのヒートシール部９にヒートシールにより固着される。すなわち、基筒１５ａが前後シート部１，２のヒートシール時に前後シート部１，２間に挟まれた状態でヒートシールされる。注出口部１５は、公知の構造であるから、その詳しい説明は省略する。
【００３１】
吊下げ部１６は、前後シート部１，２の右側辺ｃのヒートシール部９における天辺ｄ寄りの箇所に小孔として形成される。図２及び図５（Ｄ）に示すように、この流動物用包装袋は、この吊下げ部１６の小孔にフック１７が通されることにより、所望の場所に吊り下げられ、この吊下げられた状態で注出口部１５の細筒１５ｂが下方に向って突出する。
【００３２】
図２及び図５（Ｄ）に示すように、前シート部１とガセットシート部３との間及び後シート部２とガセットシート部３との間の片側のヒートシール部５，６には、前後シート部１，２の底辺ａと注出口部１５との間を結ぶように漏斗用シール縁１８が設けられる。これにより、流動物用包装袋から流動物Ａを注出口部１５から流し出す場合、流動物Ａが漏斗用シール縁１８に沿って注出口部１５へと円滑に流れ、流動物Ａの流動物用包装袋内の残留が防止される。
【００３３】
また、図２及び図５（Ｄ）に示すように、この流動物用包装袋を吊下げ部１６の小孔にフック１７を掛けて吊り下げた際に、袋内の流動物Ａの液面が開閉自在ジッパー１２に到達するのを阻止する液止めシール縁１９が、前後シート部１，２の左側辺ｂのヒートシール部９に設けられる。具体的には、このヒートシール部９が包装袋の下側で幅狭に形成されると共に上側で幅広に形成され、両者の境界線が液止めシール縁１９となって上記流動物Ａの液面と交差する箇所に現れる。
【００３４】
次に、上記構成の流動物用包装袋の作用について説明する。
【００３５】
（１）内容物である流動物Ａが収納された流動物用包装袋は、当初図１及び図４（Ａ）に示すような状態にある。
【００３６】
（２）流動物用包装袋内の流動物Ａを使用するに際し、図１及び図４（Ａ）に示す天辺ｄのヒートシール部１３を図４（Ｂ）のごとく引き裂いて除去し、流動物用包装袋を開封する。より詳しくは、図４（Ａ）に示す切欠１４近傍でヒートシール部１３に指を掛けて他端側へ引っ張ると、同図（Ｂ）に示すようにヒートシール部１３が帯状に破断する。
【００３７】
この場合、流動物用包装袋はガセットシート部３が拡開することから、幅広の底面を有することになり、机等の平坦面上で自立可能である。
【００３８】
（３）図５（Ｃ）に示すように、開閉自在ジッパー１２を開き、開口部から希釈液、薬剤等を流動物用包装袋内に添加する。この流動物用包装袋の開口部は大面積であるから、多数の流動物用包装袋を自立状態で平坦面上に並べておいて希釈液等を速やかに全流動物用包装袋内に注入することができる。その後、図４（Ｂ）のごとく開閉自在ジッパー１２を再び閉じる。
【００３９】
（４）図５（Ｄ）に示すように、流動物用包装袋をスタンド等のフック１７に吊り下げる。そして、注出口部１５を開封し、細筒１５ｂにチューブ２０を接続し、チューブ２０を通して包装袋内の流動物Ａを患者に与える。
【００４０】
この図５（Ｄ）の状態で同図（Ｃ）のように開閉自在ジッパー１２を開き、希釈液を注入してもよい。
【００４１】
図２に示すように、流動物Ａの液面は希釈液で希釈されることにより二点鎖線で示す位置まで上昇するが、この上昇した流動物Ａの液面は液止めシール縁１９により開閉自在ジッパー１２への到達を阻止される。すなわち、ヒートシール部９を下側の幅狭のまま天辺ｄまで伸ばした状態では流動物Ａの液面が開閉自在ジッパー１２に接触するが、液止めシール縁１９を設けておくことで、そのような不具合が防止される。これにより、開閉自在ジッパー１２の開閉を繰り返しても開口部の汚損ひいては液漏れが防止される。
【００４２】
（５）流動物用包装袋内の流動物Ａは、図５（Ｄ）に示すように、漏斗用シール縁１８の作用で残留することなくその全てが注出口部１５から流出する。
【００４３】
その後、必要に応じて開閉自在ジッパー１２を開いて水、茶等の飲料を流動物用包装袋内に充填し、再封した後に飲料をチューブ２０を通して患者に供給する。
【００４４】
＜実施の形態２＞
図６、図７及び図８に示すように、この流動物用包装袋は、樹脂フィルム製の前後シート部１，２が重なり合い、前後シート部１，２間にそれらの底辺ａに沿うように樹脂フィルム製のガセットシート部３が二つ折り状態で挿入され、この前後シート部１，２の少なくとも底辺ａ及びこの底辺ａを挟む左右両側辺ｂ，ｃにおける前シート部１とガセットシート部３との間、後シート部２とガセットシート部３との間及び前シート部１と後シート部２との間が夫々ヒートシール部４，５，６，７，８，９，１０で接着される。
【００４５】
樹脂フィルムは、実施の形態１の場合と同様なものが使用される。
【００４６】
前後シート部１，２は実施の形態１における長方形の底辺の両角部を斜めに切除した形状に形成される。ガセットシート部３は略六角形に形成され、二つ折り状態で折れ線３ａを先にして前後シート部１，２間に挿入される。このガセットシート部３の挿入により、前シート部１とガセットシート部３とが重なった箇所が前ガセット部とされ、後シート部２とガセットシート部３とが重なった箇所が後ガセット部とされる。
【００４７】
ヒートシール部４，５，６，７，８，９，１０は、ガセットシート部３を挟み込んだ状態の前後シート部１，２を図示しない加熱盤で熱プレスすることにより形成される。
【００４８】
ヒートシール部９，１０は、流動物用包装袋の左右両側辺ｂ，ｃの前後ガセット部以外の箇所に形成される。このヒートシール部９，１０によって、流動物用包装袋の左右両側辺ｂ，ｃが閉じられる。
【００４９】
ヒートシール部４，５，６，７，８は、流動物用包装袋の底辺ａと、流動物用包装袋の左右両側辺ｂ，ｃの前後ガセット部に対応する箇所とに形成される。また、前後ガセット部の左右のヒートシール部５，６，７，８は前後シート部１，２の底辺ａと左右側辺ｂ，ｃとを斜めに横切るように形成される。これにより、流動物用包装袋の底はガセットシート部３をマチとして拡開可能となり、拡開したガセットシート部３を底面にして流動物用包装袋は自立可能となる。
【００５０】
なお、この実施の形態２ではガセットシート部３は前後シート部１，２と折れ線を介して一体化されているが、それぞれ別体として形成した後に前後シート部１，２間にガセットシート部３を折り曲げて挿入するようにしてもよい。
【００５１】
前後シート部１，２間には、実施の形態１の場合と同様にその天辺ｄに沿うように開閉自在ジッパー１２が取り付けられる。開閉自在ジッパー１２の係合を解除すると、図１０（Ｃ）に示すように、前後シート部１，２の上部には、この流動物用包装袋の略全幅にわたる大きな開口が形成される。
【００５２】
図６に示すように、前後シート部１，２間の開閉自在ジッパー１２よりも上側の天辺ｄは、望ましくはヒートシール部１３により閉じられる。このヒートシール部１３は、開閉自在ジッパー１２を開放することにより形成される開口部から内容物である流動物Ａが包装袋内に充填された後に形成され、これにより包装袋が密封される。
【００５３】
この流動物用包装袋にも、易開封手段が設けられる。すなわち、前後シート部１，２はガセットシート部３と共にその延伸方向が天辺ａに沿って伸びるように形成される。また、上記開閉自在ジッパー１２と天辺のヒートシール部１３との間には切欠１４が形成される。前後シート部１，２の天辺ｄの左右端いずれかを摘んで他端へと引っ張ると、ヒートシール部１３が前後シート部１，２の延伸方向に沿って破断し、流動物用包装袋が開封される。ヒートシール部１３が前後シート部１，２から除去されることにより、流動物用包装袋の天辺ｄに開口が形成される。
【００５４】
前後シート部１，２の左右両側辺ｂ，ｃのうち左側辺ｂにおける底辺ａ側には、実施の形態１の場合と同様な注出口部１５がヒートシールにより固着され、右側辺ｃの天辺ｄ側には、この流動物用包装袋を吊り下げるための吊下げ部１６が設けられる。
【００５５】
ただし、この実施の形態２では、図６に示すように、注出口部１５は、流動物用包装袋の左側辺ｂにおける後シート部２とガセットシート部３との間のヒートシール部６に固着される。すなわち、注出口部１５の基筒１５ａが後シート部２とガセットシート部３とをヒートシールする時に両シート部２，３間に挟まれた状態でヒートシールされる。
【００５６】
また、図６及び図７に示すように、流動物用包装袋の左側辺ｂにおける前シート部１とガセットシート部３との間のヒートシール部５には、漏斗用シール縁２１が設けられる。すなわち、図８に示すように、流動物用包装袋の左側辺ｂにおける前シート部１とガセットシート部３との間は後シート部２とガセットシート部３との間よりも底辺ａに対してより緩やかな傾斜で切除されており、その結果前シート１側のヒートシール部５は後シート
２側のヒートシール部６より底辺ａに対し緩やかな傾斜で形成される。これにより、流動物用包装袋から流動物Ａを注出口部１５から流し出す場合、流動物Ａが漏斗用シール縁２１に沿って注出口部へと円滑に流れ、流動物Ａの残留が防止される。
【００５７】
吊下げ部１６は、前後シート部１，２の右側辺ｃのヒートシール部１０における天辺ｄ寄りの箇所に小孔として形成される。図７及び図１０（Ｄ）に示すように、この流動物用包装袋は、この小孔にフック１７が通されることにより、所望の場所に吊り下げられ、この吊下げられた状態で注出口部１５の細筒１５ｂが下方に向って突出する。
【００５８】
また、図７及び図１０（Ｄ）に示すように、この流動物用包装袋を吊下げ部１６の小孔にフック１７を掛けて吊り下げた際に、袋内の流動物Ａの液面が開閉自在ジッパー１２に到達するのを阻止する液止めシール縁１９が、前後シート部１，２の左側辺ｂのヒートシール部９に設けられる。具体的には、このヒートシール部９が包装袋の下側で幅狭に形成されると共に上側で幅広に形成され、両者間の斜めの境界線が液止めシール縁１９となって上記液面と交差する箇所に現れる。
【００５９】
次に、上記構成の流動物用包装袋の作用について説明する。
【００６０】
（１）内容物である流動物Ａが収納された流動物用包装袋は、当初図６及び図９（Ａ）に示すような状態にある。
【００６１】
（２）流動物用包装袋内の流動物Ａを使用するに際し、図６及び図９（Ａ）に示す天辺ｄのヒートシール部１３を図９（Ｂ）のごとく引き裂いて流動物用包装袋を開封する。より詳しくは、図９（Ａ）に示す切欠１４近傍でヒートシール部１３に指を掛けて他端側へ引っ張ると、同図（Ｂ）に示すようにヒートシール部１３が帯状に破断する。
【００６２】
この場合、流動物用包装袋はガセットシート部３が拡開することから、幅広の底面を有することになり、机等の平坦面上で自立可能である。
【００６３】
（３）図１０（Ｃ）に示すように、開閉自在ジッパー１２を開き、開口部から希釈液、薬剤等を流動物用包装袋内に添加する。この流動物用包装袋の開口部は大面積であるから、多数の流動物用包装袋を自立状態で平坦面上に並べておいて希釈液等を速やかに全流動物用包装袋内に注入することができる。その後、図９（Ｂ）のごとく開閉自在ジッパー１２を再び閉じる。
【００６４】
（４）図１０（Ｄ）に示すように、流動物用包装袋をスタンド等のフック１７に吊り下げる。そして、注出口部１５を開封し、細筒１５ｂにチューブ２０を接続し、チューブ２０を通して包装袋内の流動物Ａを患者に与える。
【００６５】
この図１０（Ｄ）の状態で同図（Ｃ）のように開閉自在ジッパー１２を開き、希釈液を注入してもよい。希釈液で希釈された流動物Ａの液面は図７中二点鎖線で示すように上昇するが、液止めシール縁１９により開閉自在ジッパー１２への到達を阻止される。これにより、開閉自在ジッパー１２の開閉を繰り返しても液漏れや開口部の汚損が防止される。
【００６６】
（５）流動物用包装袋内の流動物Ａは、図１０（Ｄ）に示すように、漏斗用シール縁２１の作用で残留することなくその全てが注出口部１５から流出する。
【００６７】
その後、必要に応じて開閉自在ジッパー１２を開いて水、茶等の飲料を流動物用包装袋内に充填し、再封した後に飲料を患者に供給する。
【００６８】
＜実施の形態３＞
図１１に示すように、この実施の形態３では、実施の形態２の場合と異なり、前後シート部１，２及びガセットシート部３の底辺ａ側における左側の隅部が斜めに切除されるこ
となく直角に形成され、この直角になった前ガセット部のヒートシール部５又は後ガセット部ヒートシール部６のいずれかに注出口部１５が固着されている。
【００６９】
なお、実施の形態３において実施の形態２のものと同じ部分には同一符号を用いて示し、重複した説明を省略することとする。
【００７０】
なお、本発明は上記実施の形態に限定されるものではなく本発明の趣旨の範囲内において適宜変更可能である。
【図面の簡単な説明】
【００７１】
【図１】本発明の実施の形態１に係る流動物用包装袋の正面図である。
【図２】図１に示す流動物用包装袋の吊下げ状態の正面図である。
【図３】図１に示す流動物用包装袋の前後シート部、ガセットシート部及び注出口部を分解した状態で示す斜視図である。
【図４】（Ａ）は図１に示す密封状態の流動物用包装袋の斜視図、（Ｂ）は開封した状態を示す斜視図である。
【図５】（Ｃ）は開口部を開いた状態の流動物用包装袋の斜視図、（Ｄ）は流動物を注出中の流動物用包装袋の斜視図である。
【図６】本発明の実施の形態２に係る流動物用包装袋の正面図である。
【図７】図６に示す流動物用包装袋の吊下げ状態の正面図である。
【図８】図６に示す流動物用包装袋の前後シート部、ガセットシート部及び注出口部を分解した状態で示す斜視図である。
【図９】（Ａ）は図６に示す密封状態の流動物用包装袋の斜視図、（Ｂ）は開封した状態を示す斜視図である。
【図１０】（Ｃ）は開口部を開いた状態の流動物用包装袋の斜視図、（Ｄ）は流動物を注出中の流動物用包装袋の斜視図である。
【図１１】本発明の実施の形態３に係る流動物用包装袋の吊下げ状態の正面図である。
【符号の説明】
【００７２】
１…前シート部
２…後シート部
３…ガセットシート部
４，５，６，７，８，９，１０，１３…ヒートシール部
１１…切欠部
１２…開閉自在ジッパー
１５…注出口部
１６…吊下げ部
１８，２１…漏斗用シール縁
１９…液止めシール縁
Ａ…流動物
ａ…底辺
ｂ，ｃ…左右両側辺
ｄ…天辺
【図１】
0004747908.tif 000002
【図２】
0004747908.tif 000003
【図３】
0004747908.tif 000004
【図４】
0004747908.tif 000005
【図５】
0004747908.tif 000006
【図６】
0004747908.tif 000007
【図７】
0004747908.tif 000008
【図８】
0004747908.tif 000009
【図９】
0004747908.tif 000010
【図１０】
0004747908.tif 000011
【図１１】
0004747908.tif 000012